【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
用具保持装置（２）のベースジョー（６）とトップジョー（１２）であって、
前記ジョーは、直線移動経路（１０）に沿った差し込み式連結を可能にし、差し込み式連結を可能にするために互いに対して画定されたくさび角に形成されている係合面（２８、３０）を有するくさび形差し込み式コネクタに差し込まれるようになっており；
前記トップジョー（１２）は、工具または被加工物を締め付け固定するために締め付け方向に向いている少なくとも１つの締め付け面（１４）を備え、前記締め付け固定方向は前記直線移動経路に沿って延び、前記ジョーの一方は、くさびの両側にアンダーカット部を有するくさび形リブ（１６−１、１６−２）を備えている少なくとも１つの差し込み式コネクタ要素を備え、および、他方の前記ジョーは、くさび形スロット（１８）を備えており、かつ、前記くさび形リブ（１６−１、１６−２）の挿入を可能にするためにそのより広い幅のスロット末端において両方のくさび側部上で開いている、少なくとも１つの差し込み式コネクタ要素を備えていて；
前記アンダーカット部によって、各々のジョー（６、１２）は、各々のくさび側部上に横スロット（２０、２４）とスロット縁突出部（２２、２６）とを備え、および、前記係合面（２８、３０）の少なくとも１つは各々の横スロット内に形成されており；
前記２つのジョー（６、１２）の前記リム縁突出部（２２、２６）は、その関連した他方のジョー（１２、６）の前記横スロット（２０、２４）の中に嵌り込むように形成されており、および、それらの係合面（２８、３０）は、互いの中に差し込まれる時に前記２つのジョー（６、１２）の係合の深さを制限する前記くさび角に関して互いに傾斜した形で形成されているベースジョーとトップジョーにおいて；
前記くさび角は８５°以上かつ１４０°以下であることを特徴とする、ベースジョーとトップジョー。
【請求項２】
前記くさび角は８８°から１００°までであり、好ましくは８９°から９１°までであることを特徴とする請求項１に記載のベースジョーとトップジョー。
【請求項３】
前記くさび角の頂点（３２、３２−２）が前記締め付け面（１４）と同じ半径方向に向いていることを特徴とする請求項１と２のいずれか一項に記載のベースジョーとトップジョー。
【請求項４】
前記２つのジョー（６、１２）の各々は、前記直線移動経路に対する横断方向に互いに反対の形で形成されている少なくとも１つの端面位置決め面（４０、４２）を備え、一方のジョーの前記端面位置決め面は、他方のジョーの前記端面位置決め面に対向しており、および、これらの位置決め面（４０、４２）は、前記くさび形リブ（１６−１、１６−２）が前記くさび形スロット（１８）の外にある時には、常に互いに接触しているが、前記２つのジョー（６、１２）は、前記くさび形リブが前記直線移動経路（１０）に沿って前記くさび形スロットの中に差し込まれることが可能であるように位置決めされることを特徴とする請求項１から３のいずれか一項に記載のベースジョーとトップジョー。
【請求項５】
前記係合面（２８、３０）は、前記２つのジョー（６、１２）が互いの中に差し込まれている時に前記２つのジョー（６、１２）を互いの上に移動させることを可能にするために、前記横スロット（２０、２４）の底部に向かって傾斜させられており、この結果として前記２つのジョー（６、１２）は共に引っ張られ、これによって前記２つのジョー（６、１２）の前記位置決め面（４０、４２）は互いに締め付けられることを特徴とする請求項４に記載のベースジョーとトップジョー。
【請求項６】
前記端面位置決め面（４０、４２）は少なくとも部分的に前記アンダーカット部の外側で前記２つのジョー（６、１２）において形成されており、および、前記２つのジョー（６、１２）が、第１の段階においては、その端面位置決め面（４０、４２）によって互いの上に置かれ、その次に第２の段階においては、前記端面位置決め面（４０、４２）上でスライドしながら、前記くさび形リブ（１６−１、１６−２）と前記くさび形スロット（１８）とにおいて互いの中に差し込まれることが可能であるように、前記端面位置決め面（４０、４２）は前記くさび形リブ（１６−１、１６−２）と前記くさび形スロット（１８）とに関して形成されていることを特徴とする請求項４または５に記載のベースジョーとトップジョー。
【請求項７】
前記くさび形リブ（１６−１、１６−２）を備えている前記ジョー（６）の前記端面位置決め面（４０）は前記くさび形リブ上の端面であることと、前記くさび形スロット（１８）を備えている前記ジョー（１２）の前記端面位置決め面（４２）は前記くさび形スロット（１８）の底部（４３）の延長部分であることとを特徴とする請求項４から６のいずれか一項に記載のベースジョーとトップジョー。
【請求項８】
前記ベースジョー（６）は少なくとも１つのくさび形リブ（１６−１、１６−２）を備えていることと、前記トップジョー（１２）は少なくとも１つの適合するくさび形スロット（１８）を備えていることとを特徴とする請求項１から７のいずれか一項に記載のベースジョーとトップジョー。
【請求項９】
前記ベースジョー（６）は、少なくとも２つの請求項１から８のいずれか一項に記載のくさび形差し込み式コネクタ要素（１６−１、１６−２）を備え、しかし、前記特許請求されている特徴を有する差し込み式コネクタ要素の両方は、前記ベースジョー（６）の互いに反対側の末端区域において、および、半径方向に反対方向に向いているその角頂点（３２、３２−２）によって、前記直線移動経路（１０）に沿って形成されていることを特徴とする請求項１から８のいずれか一項に記載のベースジョーとトップジョー。
【請求項１０】
前記トップジョー（１２）が、その差し込み式コネクタ要素（１８）によって、前記ベースジョー（６）の差し込み式コネクタ要素（１６−１）に対して一方向に連結されることが可能であるように、または、１８０°回転させられる時に、その差し込み式コネクタ要素（１８）によって、前記ベースジョー（６）の関連した他方の差し込み式コネクタ要素（１６−２）に連結されることが可能であるように、前記ベースジョー（６）の差し込み式コネクタ要素（１６−１、１６−２）の両方は互いに同一であることを特徴とする請求項９に記載のベースジョーとトップジョー。
【請求項１１】
前記ジョー（６）の少なくとも１つは、一方では、前記ジョー内およびこのジョー（６）の外の固着解除されている引っ込められた位置と、他方では、関連した他方のジョー（１２）の固着穴（６４）の中の固着位置との間を移動することが可能である少なくとも１つの固着ボルト（４８）を備えており、前記２つの互いの中に差し込まれているジョー（６、１２）は前記固着位置において互いに締め付けられており、および、前記固着ボルト（４８）は、前記２つのジョー（６、１２）によって加えられる力によってではなく、追加の係合解除要素（５６、７８）だけによって係合解除されることを特徴とする請求項１から１０のいずれか一項に記載のベースジョーとトップジョー。
【請求項１２】
前記ジョー（６、１２）の少なくとも１つは、このジョー（６）の端面表面（４０）から部分的に突き出すようにばね仕掛けになっており、かつ、関連した他方のジョー（１２）によって前記端面表面の中に押し込まれることが可能である抑制要素（７０）を備えていることと、前記関連した他方のジョー（１２）は、前記要素（７０）がその凹み（７２）の中に入ることが可能である時に前記抑制要素（７０）の反対側にあり、かつ、前記２つのジョー（６、１２）が互いの中に完全に差し込まれ終わった時に前記２つのジョーが分離することを防止する、凹み（７２）を備えていることと、しかし、前記２つのジョー（６、１２）を接合することによって、または、予め決められた最小限の力を加えながら前記２つのジョー（６、１２）を係合解除方向において互いに強制的に引き離す外側から加えられた力によって、前記抑制要素（７０）は、関連した他方のジョーによって前記一方のジョーの端面表面（４０）の中に強制的に戻されることが可能であることとを特徴とする請求項１から１１のいずれか一項に記載のベースジョーとトップジョー。
【請求項１３】
請求項１から１２の少なくとも一項に記載の少なくとも１つのベースジョー（６）と少なくとも１つの関連したトップジョー（１２）とを特徴とする用具締め付け固定システム。